(57)【特許請求の範囲】
【請求項１】
その内表面上に、粘性領域からなる不規則配列を備えるバンドであって、
前記配列は、前記領域間の空間内において、前記配列にわたって、前記バンドに垂直に、直線を引くことができないような配列であり、
前記領域は、皮膚における応力の集中点を消散させる働きをする、バンド。
【請求項２】
請求項１に記載のバンドであって、
伸縮性を持たされたバンド。
【請求項３】
請求項１又は２に記載のバンドであって、
前記領域は、突出の形をとる、バンド。
【請求項４】
請求項３に記載のバンドであって、
前記突出は、樹脂材料片を含む、バンド。
【請求項５】
請求項１ないし４のいずれかに記載のバンドであって、
前記配列は、前記領域間の空間内において、配列にわたって、いかなる方向にも直線を引くことができない配列である、バンド。
【請求項６】
請求項１ないし５のいずれかに記載のバンドを備える服飾品。
【請求項７】
請求項６に記載の服飾品であって、
妊娠中の女性のサイズ変化に順応するように適応された服飾品。
【発明の詳細な説明】
【技術分野】
【０００１】
本発明は、医療的効用及び美容的効用を有する器具に関し、特に、着用することができるバンド又は服飾品の形をとり、皮膚線条の出現を防止又は低減するために使用することができる器具に関する。
【背景技術】
【０００２】
皮膚線条は、一般に、腹部領域における急速な成長期間中に、その領域の付近に生じる。皮膚線条は、特に、妊娠中期及び妊娠後期に、並びに特に年長児及び思春期の者の肥満の発展時に出現する。皮膚線条は、腕、太股上部、及び胸部にも生じる。これらは、直ちに危険なわけではなく、要治療状態には分類されないのが一般的であるが、対象者に対して望ましくない影響を及ぼすと考えられる。これらは、確実に見場が悪く、その防止／軽減は、高価な美容産業の課題である。しかしながら、特に妊婦を対象として広く販売されているクリームには、何らかの効果があるという証拠がほとんど又は全くない。実際、皮膚線条の推定原因に関する正しい理解、すなわち身体が不可逆的な構造変化を経たためであるという理解は、クリームの局所適用が何らかの効果を有する可能性は低いことを示唆している。
【０００３】
腹部に接触して着用されることが意図され、尚且つ局所効果を有することができる、様々な器具が知られている。例えば、ＷＯ２００８／１３１３０７は、筋肉を支えるための、身体に押し当てられる内側「押圧部」を有するバンドを開示している。また、ＵＳ２００９／０１９２４２３も参照せよ。
【０００４】
ＧＢ２１５２３８３Ａは、隆起を有するベルトを開示している。この隆起は、腹部に押し当てられて、着用者の食欲及び着用者の胃が大量の食物を保持する能力を減退させることを意図した圧力を提供する。ＪＰ１０２３４７５７Ａは、同様の目的のための、同様なベルトを開示している。これは、複数の突出が並ぶ配列を有しており、このような配列は、規則的であるか、又はたとえ不規則な場合でも、突出と突出の間に直線を引くことができる空間を含む。
【発明の概要】
【０００５】
皮膚線条は、皮膚の外層が薄くなることが原因で見えるようになるが、本発明は、皮膚線条が、恐らくは、皮膚の下の例えばコラーゲンなどの線維性結合組織における単一の応力弱点から始まる伝播によって引き起こされるだろうという認識に基づく。注目に値するのは、皮膚線条が、特に股関節に向かって僅かに内向きに湾曲することはあるものの、ほぼ常に、表皮形成及びコラーゲン沈着として知られるライン（ランゲルライン）の方向に逆らって実質的に垂直に伸びることであり、これは、伝播説を強固にしている。
【０００６】
本発明は、「応力の集中点は、（例えば妊婦の場合は、中で成長する子供から及ぼされる力に起因して）皮膚における特定の一点に形成され、疲労骨折に似たものとなる」という仮説に少なくとも部分的に基づく。皮膚は、「破れる」が、その生体的性質ゆえに、部分的に裂けるのみであり、（ランゲルラインのパターンに逆らって）垂直方向下向きに伝播する不規則で、赤く、熱を持った、一般的に痒みを伴う皮膚線条を発生させる。本発明は、その狙いとして、皮膚線条が発展するための開始地点になりうる例えば腹壁における応力の集中点を防止する又は消散させることを有する。
【０００７】
本発明によるバンドは、その内表面上に、皮膚内に形成されるこのような応力の集中点を消散させることを狙いとした、例えば突出の形をした粘性領域からなる不規則配列を有
する。このようなバンドは、腹部の周り又はそれ以外のどこかにおける皮膚線条の可能性を防止又は低減するために、治療目的及び／又は美容目的で使用することができる。
【図面の簡単な説明】
【０００８】
【図１】本発明を具現化したバンドの外側の概略図である。
【図２】図１に示されたバンドの内側の、線Ａ−Ａに沿った図である。
【図３】使用時におけるバンドの外側の図である。
【発明の詳細な説明】
【０００９】
本発明のバンドは、例えば腕、太股上部、又は腹部などの、影響を受けるだろう身体の一部の周りに適合するように設計することができる。それは、より大きい服飾品の一部であることもできる。例えば、「腹部バンド」という用語は、本明細書では、腹部の周りに適合することができる、あらゆる継ぎ目がある又は無いバンド、ベルト、又はその他の服飾品を表現するために使用される。それは、皮膚との良好な接触のために、伸縮性を持たせることができ、また腹部の周りに適合させるために、例えば留め具又はベルクロファスナなどの、固定具を有することができる。
【００１０】
バンドの材料は、このような服飾品に一般に使用される任意の材料であることができる。服飾品の構造は、例えば妊娠中の成長に順応するように適応させることができる。本発明によれば、このような服飾品は、例えばシリコーンのような樹脂材料などの材料でできた、例えば無作為なドットなどの粘性領域又は突出からなる不規則配列を設けることによって、変形される。
【００１１】
当業者ならば、応力の集中点を消散させる目的を達成するために、配列がどのように提供されるべきかがわかる。当該配列は、配列内の領域と領域との間の空間内において、好ましくは（使用時における）垂直方向か水平方向、又は他のどの面若しくは線においても直線を引くことができないことを保証するような配列であるべきである。
【００１２】
バンド上に提供された領域は、接触したときに、皮膚に対して小程度の付着性を提供するような領域である。これらの領域は、こうして摩擦を発生させるので、器具が皮膚に接触した状態で横方向に移動されたときに、皮膚は、これらの領域に接触した状態で移動する。これは、身体とこの新規の器具とが、応力の集中点を生じることなく伸び又はその他の動きに順応するために接触することを可能にする。
【００１３】
一般に、摩擦発生領域は、通常は伸縮性を持たされた基板上に取り付けられた突出又はパッドによって提供される。パッドは、例えばインクジェット印刷や転写塗布によって、適切な樹脂又はその他の材料を付着させることによって形成することができる。適切な材料には、例えば、シリコーン、ポリウレタン、又はラテックスゴムなどがある。もし、例えば突出の材料が、それ自体が粘性ではないならば、突出は、追加の粘性物質でコーティングすることができる。
【００１４】
使用時は、各パッド又は隆起からなる部分のみが皮膚と接触することがわかる。領域間の空間内において、配列にわたって、バンドに垂直に、直線を引くことができず、前記領域は、皮膚における応力の集中点を消散させる働きをする、という要件を満たすのはこの接触領域であることがわかる。
【００１５】
上記のように、摩擦発生領域が形成される基板は、伸縮性を持たせることができる。基板のための及び突出のための材料として選ばれるものは、生来付着性のものであることができる、或いは適切な接着剤を使用することができる。材料基板は、摩擦発生領域の部分において、すなわちパッド又は突出の下で、切り抜かれていてもよい。
【００１６】
器具は、望ましいとされる摩擦を最小にしてしまう油脂が皮膚表面上に残されないように、皮膚をきれいに洗ってから使用されることが好ましい。更に、皮膚上に「粘性」残留物を残らせて機器との間に更なる摩擦を発生させるスキン「ローション」と併せて使用することが最適だと考えられる。
【００１７】
この新規の製品のサイズ範囲は、妊娠中に成長する「膨らみ」に順応することを求められるだろう。
【００１８】
本発明は、皮膚線条の防止におけるその効用の観点から説明されている。本発明は、また、例えば創傷両側の皮膚の並行性を維持するためなどの、創傷の治療にも使用することができる。更なる使用には、傷跡の形成を最小限に抑えること、及び治りかけだが引っ張られている傷跡の痛みを軽減することなどがある。
【００１９】
次に、添付の図面を参照にして、単なる例示として、本発明の説明がなされる。図１は、縁部分２と、伸縮性区域４における開口３とを含むバンド１を示しており、開口３は、伸縮性区域の一部５にある。図２に示されるように、開口３は、バンドの一方側の面にあるもの、すなわち粘性隆起からなる無作為配列６の下に位置し、当該面は、図３に示されるように、着用者の皮膚７に接触することが意図される。
【００２０】
例示された本発明の器具は、「着用性」についてテストされた。結果は、肯定的であった。５０％を超える使用者が、バンドを、一週間ずっと着用できる着心地だとした。５０％を超える使用者が、バンドを、妊娠中に伸びたゆえに、着心地が良かったと感じた。８０％を超える使用者が、もし妊娠したら、再びバンドを着用するだろうとした。９０％を超えるサンプル者が、バンドを、妊娠中の皮膚線条の防止に役立つだろうと考えた。
【００２１】
妊婦の腹部を再現することが意図された下側構造体における力及び歪みのベクトルパターンを服飾品が変化させたかどうかをテストするために、実験が行われた。具体的には、服飾品の構造、及び下側「組織」に対するその付着性が、非対称的な（異方性の）変形をもたらしたかどうかが解明された。
【００２２】
服飾品の内側において、薄肉のサッカーボールのブラダーを、両者がぴったり合わさるように膨らました。膨張時における把持力の変化に伴うこすれ音に基づくと、服飾品のパッドとボールのパッドとの間に優れた引張り（高摩擦）があることは明らかであった。
【００２３】
膨張時におけるボール単独の歪みのパターンが、修正液でボールにドットマークを付けて、一度に一ポンプストロークずつボールを膨らませ、ボールの名目上の軸に平行な及び垂直な２つの面におけるドット間の間隔の増加を（写真をもとに）測定することによって解明された。各面におけるこの進行性の伸び（歪みの割合）（一ポンプストロークあたり一ポイント）は、ストロークごとに線形に増加し、ほぼ同一の値を示した。この同一性は、球状のボールの場合に予期されるように、拡張がほぼ完全に対称性（等方性）であったことを意味する。
【００２４】
法平面では、ポンプのストローク回数に対する歪みのプロットは、ボールのみの拡張と合致した。しかしながら、前記ボール軸に平行な拡張のプロットでは、当該拡張は予期されたものから大きくずれた。
【００２５】
これは、服飾品が、ボールの拡張の対称性を変化させ、法平面よりも平行面において、（広い歪み範囲にわたって）より少ない変形を引き起こしたことを意味する。これは、服飾品が、隣接する組織（皮膚）における歪み方向のパターンを大幅に変化させ、そして乱
すという提案と矛盾しない。この場合は、服飾品の上から下に伸びる面（すなわち、着用者にとっては垂直面）における歪みが低減された。
【図１】
0005611444.tif 000002
【図２】
0005611444.tif 000003
【図３】
0005611444.tif 000004